(57)【要約】【課題】汚染水とオゾンとの反応効率を十分に向上させることができるオゾン微細気泡による汚染水の処理方法、及びオゾン微細気泡による汚染水の処理装置を提供する。【解決手段】汚染水の処理装置１００は、オゾン反応槽１と、供給管２と、オ排出管３と、オゾン発生器４と、微細気泡発生器５と、オゾン供給手段６と、導入管７と、導出管８と、を備え、供給管２及び導出管８を介してオゾン反応槽１に流入する汚染水の総流入量と、排出管３を介してオゾン反応器１から流出する汚染水の流出量と、を調節して、オゾン反応槽１内の汚染水に、オゾン微細気泡の浮上速度以上の流速（例えば、１ｍｍ／秒以上）を有する下降流を形成する。【選択図】図１Ａ
2007260598.tif 000002
【特許請求の範囲】
【請求項１】
有機物を含有する汚染水とオゾン微細気泡とを反応させて前記有機物を処理するオゾン微細気泡による汚染水の処理方法であって、
前記汚染水に、前記オゾン微細気泡の浮上速度以上の流速を有する下降流を形成することを特徴とするオゾン微細気泡による汚染水の処理方法。
【請求項２】
有機物を含有する汚染水とオゾン微細気泡とを反応させるオゾン反応器と、
前記オゾン反応器の上部側に接続され該オゾン反応器に前記汚染水を供給する供給管と、
前記オゾン反応器の下部側に接続され該オゾン反応器から反応後の前記汚染水を排出する排出管と、
オゾン発生器と、
直径５０μｍ以下の微細気泡を発生させる微細気泡発生器と、
前記オゾン発生器と前記微細気泡発生器とを連結し前記オゾン発生器で発生したオゾンを前記微細気泡発生器に供給するオゾン供給手段と、
前記供給管と前記微細気泡発生器とを連結し該供給管内を流れる前記汚染水の一部を前記微細気泡発生器に導入する導入管と、
前記微細気泡発生器と前記オゾン反応器の上部側とを連結し前記微細気泡発生器で生成されたオゾン微細気泡を含有する前記汚染水の一部を前記オゾン反応器に供給する導出管と、を備え、
前記供給管及び前記導出管を介して前記オゾン反応器に流入する前記汚染水の総流入量と、前記排出管を介して前記オゾン反応器から流出する前記汚染水の流出量と、を調節して、前記オゾン反応器内の前記汚染水に、前記オゾン微細気泡の浮上速度以上の流速を有する下降流を形成することを特徴とするオゾン微細気泡による汚染水の処理装置。
【請求項３】
有機物を含有する汚染水とオゾン微細気泡とを反応させるオゾン反応器と、
前記オゾン反応器の上部側に接続され該オゾン反応器に前記汚染水を供給する供給管と、
前記オゾン反応器の下部側に接続され該オゾン反応器から反応後の前記汚染水を排出する排出管と、
オゾン発生器と、
直径５０μｍ以下の微細気泡を発生させる微細気泡発生器と、
前記オゾン発生器と前記微細気泡発生器とを連結し前記オゾン発生器で発生したオゾンを前記微細気泡発生器に供給するオゾン供給手段と、
前記オゾン反応器の下部側と前記微細気泡発生器とを連結し該オゾン反応器から前記汚染水の一部を回収して前記微細気泡発生器に導入する導入管と、
前記微細気泡発生器と前記オゾン反応器の上部側とを連結し前記微細気泡発生器で生成されたオゾン微細気泡を含有する前記汚染水の一部を前記オゾン反応器に供給する導出管と、を備え、
前記供給管及び前記導出管を介して前記オゾン反応器に流入する前記汚染水の総流入量と、前記排出管及び前記導入管を介して前記オゾン反応器から流出する前記汚染水の総流出量と、を調節して、前記オゾン反応器内の前記汚染水に、前記オゾン微細気泡の浮上速度以上の流速を有する下降流を形成することを特徴とするオゾン微細気泡による汚染水の処理装置。
【請求項４】
請求項２又は３に記載のオゾン微細気泡による汚染水の処理装置において、
前記オゾン反応器は、配管で構成されていることを特徴とするオゾン微細気泡による汚染水の処理装置。
【請求項５】
請求項２から４のいずれかに記載のオゾン微細気泡による汚染水の処理装置において、
前記オゾン反応器は、前記下降流の作用によって自動的に回転駆動する攪拌用ファンを備えたことを特徴とするオゾン微細気泡による汚染水の処理装置。
【請求項６】
請求項２から５のいずれかに記載のオゾン微細気泡による汚染水の処理装置において、
前記オゾン反応器内の前記汚染水に、超音波を付与する超音波発生器を備えたことを特徴とするオゾン微細気泡による汚染水の処理装置。
【発明の詳細な説明】
【技術分野】
【０００１】
本発明は、汚染水とオゾン微細気泡とを反応させて汚染水に含まれる有機物を処理するオゾン微細気泡による汚染水の処理方法、及びオゾン微細気泡による汚染水の処理装置に関し、特に、汚染水とオゾンとの反応効率を向上させるためのオゾン微細気泡による汚染水の処理方法、及びオゾン微細気泡による汚染水の処理装置に関する。
【背景技術】
【０００２】
有機物を含有する汚染水として、例えば、畜産排水、ゴミ処分場浸出水、バイオマスからの廃水等がある。これらの汚染水にはフミン酸等の有機物が多量に含まれており、例えば、ＣＯＤ（Chemical Oxygen Demand；化学的酸素要求量）＝１５００〜７０００ｍｇ／Ｌ、ＢＯＤ（Biochemical Oxygen Demand；生物化学的酸素要求量）＝３００〜１７００ｍｇ／Ｌの値を示す。また、かかる汚染水は、ＳＳや色度も高く、例えば、ＳＳ（Suspended Solid；浮遊物質量）＝４００〜１８０００ｍｇ／Ｌ、色度＝２０００〜３０００を示す。
【０００３】
このような汚染水に含まれる有機物を処理するために、例えば、汚染水に膜処理や凝集沈殿処理等を施して有機物を除去する技術がある。しかし、これらの技術では、薬剤の使用量が多くなりコストＵＰを招いてしまう。また、これらの技術では、汚染水に含まれる有機物を十分に除去することができず、特に色度を所定の基準値以下にすることが困難であった。
【０００４】
そこで、近年、汚染水とオゾンとを反応させることにより、汚染水に含まれる有機物を処理する技術が開発されている。この技術は、汚染水にオゾンを曝気し、オゾンの酸化作用によって有機物を処理する技術であり、別途、薬剤を使用する必要がない点で優れている。しかし、曝気したオゾンは、気泡径が大きいため、汚染水中の浮上速度が速く、しかも汚染水に溶解しにくい。その結果、この技術では、汚染水とオゾンとを効率的に反応させることができず、特に色度を所定の基準値以下（例えば、１００以下）にするには、オゾンの注入量が多量に必要であった。より具体的には、色度２００〜４００の汚染水を色度１００以下にするには、汚染水１ｍ３当たりオゾンが１２００〜２０００ｇ程度も必要であった。そのため、汚染水にオゾンを曝気する技術では、オゾンを製造するための設備費用やランニングコストが高くなってしまう。また、その際に得られた排ガスには、汚染水に未溶解のオゾンが多量に含まれており、オゾンは有害であることから、排ガス中のオゾンを処理するための設備（例えば、オゾン分解装置やオゾン吸着装置等）も必要となり、コストが高くなってしまう。
【０００５】
従来、かかる問題を解決するために、汚染水とオゾン微細気泡とを反応させて汚染水に含まれる有機物を処理する技術が開発されている（例えば、特許文献１参照）。オゾン微細気泡は、曝気したオゾンと比べて気泡径が著しく小さいため（直径５０μｍ以下）、汚染水中の浮上速度が遅くなり、しかも汚染水に溶解しやすい。従って、このような従来の技術によれば、汚染水とオゾンとの反応効率が一応向上することとなり、その結果、コストダウンを図ることも可能となる。
【特許文献１】特開２００１−２５９６６７号公報
【発明の開示】
【発明が解決しようとする課題】
【０００６】
しかしながら、汚染水にオゾン微細気泡を供給したとしても、オゾン微細気泡は汚染水中を所定の速度で浮上するとともに、その一部は汚染水に溶解しない。そのため、従来の技術にあっては、汚染水とオゾンとの反応効率を十分に向上させることができなかった。
【０００７】
本発明は、上記の問題に鑑みてなされたものであり、その目的は、汚染水とオゾンとの反応効率を十分に向上させることができるオゾン微細気泡による汚染水の処理方法、及びオゾン微細気泡による汚染水の処理装置を提供することにある。
【課題を解決するための手段】
【０００８】
上記課題を解決するために、本発明は、有機物を含有する汚染水とオゾン微細気泡とを反応させて前記有機物を処理するオゾン微細気泡による汚染水の処理方法であって、前記汚染水に、前記オゾン微細気泡の浮上速度以上の流速を有する下降流を形成することを特徴とする。
【０００９】
かかる構成によれば、汚染水に形成された下降流の作用により、汚染水に供給されたオゾン微細気泡は、汚染水中を浮上することなく汚染水に滞留し続け、汚染水にほぼ完全に溶解する。これにより、汚染水とオゾンとの反応効率が十分に向上することとなる。
【００１０】
また、本発明は、有機物を含有する汚染水とオゾン微細気泡とを反応させるオゾン反応器と、前記オゾン反応器の上部側に接続され該オゾン反応器に前記汚染水を供給する供給管と、前記オゾン反応器の下部側に接続され該オゾン反応器から反応後の前記汚染水を排出する排出管と、オゾン発生器と、直径５０μｍ以下の微細気泡を発生させる微細気泡発生器と、前記オゾン発生器と前記微細気泡発生器とを連結し前記オゾン発生器で発生したオゾンを前記微細気泡発生器に供給するオゾン供給手段と、前記供給管と前記微細気泡発生器とを連結し該供給管内を流れる前記汚染水の一部を前記微細気泡発生器に導入する導入管と、前記微細気泡発生器と前記オゾン反応器の上部側とを連結し前記微細気泡発生器で生成されたオゾン微細気泡を含有する前記汚染水の一部を前記オゾン反応器に供給する導出管と、を備え、前記供給管及び前記導出管を介して前記オゾン反応器に流入する前記汚染水の総流入量と、前記排出管を介して前記オゾン反応器から流出する前記汚染水の流出量と、を調節して、前記オゾン反応器内の前記汚染水に、前記オゾン微細気泡の浮上速度以上の流速を有する下降流を形成することを特徴とする。
【００１１】
また、本発明は、有機物を含有する汚染水とオゾン微細気泡とを反応させるオゾン反応器と、前記オゾン反応器の上部側に接続され該オゾン反応器に前記汚染水を供給する供給管と、前記オゾン反応器の下部側に接続され該オゾン反応器から反応後の前記汚染水を排出する排出管と、オゾン発生器と、直径５０μｍ以下の微細気泡を発生させる微細気泡発生器と、前記オゾン発生器と前記微細気泡発生器とを連結し前記オゾン発生器で発生したオゾンを前記微細気泡発生器に供給するオゾン供給手段と、前記オゾン反応器の下部側と前記微細気泡発生器とを連結し該オゾン反応器から前記汚染水の一部を回収して前記微細気泡発生器に導入する導入管と、前記微細気泡発生器と前記オゾン反応器の上部側とを連結し前記微細気泡発生器で生成されたオゾン微細気泡を含有する前記汚染水の一部を前記オゾン反応器に供給する導出管と、を備え、前記供給管及び前記導出管を介して前記オゾン反応器に流入する前記汚染水の総流入量と、前記排出管及び前記導入管を介して前記オゾン反応器から流出する前記汚染水の総流出量と、を調節して、前記オゾン反応器内の前記汚染水に、前記オゾン微細気泡の浮上速度以上の流速を有する下降流を形成することを特徴とする。
【００１２】
さらに、本発明のオゾン微細気泡による汚染水の処理装置において、前記オゾン反応器は、配管で構成されていることが好ましい。
【００１３】
さらに、本発明のオゾン微細気泡による汚染水の処理装置において、前記オゾン反応器は、前記下降流の作用によって自動的に回転駆動する攪拌用ファンを備えていることが好ましい。
【００１４】
さらに、本発明のオゾン微細気泡による汚染水の処理装置において、前記オゾン反応器内の前記汚染水に超音波を付与する超音波発生器を備えていることが好ましい。
【発明の効果】
【００１５】
本発明によれば、オゾン微細気泡による汚染水の処理方法、及びオゾン微細気泡による汚染水の処理装置において、汚染水とオゾンとの反応効率を十分に向上させることができる。
【発明を実施するための最良の形態】
【００１６】
以下、添付図面を参照しながら、本発明に係るオゾン微細気泡による汚染水の処理装置（以下、単に「汚染水の処理装置」という）の各実施形態について説明する。
【００１７】
＝＝＝第一実施形態＝＝＝
図１Ａは、本発明の第一実施形態における汚染水の処理装置１００を示す概略構成図である。図１Ａに示す汚染水の処理装置１００は、オゾン反応槽１と、供給管２と、排出管３と、オゾン発生器４と、微細気泡発生器５と、オゾン発生器４と微細気泡発生器５とを連結するオゾン供給手段６と、供給管２と微細気泡発生器５とを連結する導入管７と、微細気泡発生器５とオゾン反応槽１の上部側とを連結する導出管８と、を備えている。
【００１８】
かかる汚染水の処理装置１００は、供給管２及び導出管８を介してオゾン反応槽１に流入する汚染水の総流入量と、排出管３を介してオゾン反応器１から流出する汚染水の流出量と、を調節して、オゾン反応槽１内の汚染水に、オゾン微細気泡の浮上速度以上の流速を有する下降流を形成するものである。より具体的には、下降流の流速は、ストークスの法則に基づいてオゾン微細気泡の直径に応じて定まり、例えば、オゾン微細気泡の気泡径が最大値５０μｍの場合には、オゾン微細気泡の浮上速度が約１ｍｍ／秒であることから下降流の流速を１ｍｍ／秒以上とする。
【００１９】
オゾン反応槽１は、有機物を含有する汚染水とオゾン微細気泡とを反応させるための反応槽であり、その内部に攪拌用ファン１１が設けられている。攪拌用ファン１１は、汚染水に形成した下降流によって自動的に回転駆動するものである。オゾン反応槽１の高さ及び断面積は、汚染水に形成する下降流が気泡の上昇速度よりも速く、且つ汚染水に含まれている有機物の処理に必要な滞留時間を満足するように決定する。オゾン微細気泡は、直径５０μｍ以下の微細気泡内にオゾンを含有させたものであり、オゾン発生器４、微細気泡発生器５及びオゾン供給手段６によって生成され、汚染水中に供給される。供給管２は、オゾン反応槽１の上部側に接続されオゾン反応槽１に汚染水を供給する。排出管３は、オゾン反応槽１の下部側に接続されオゾン反応槽１から反応後の汚染水を排出する。
【００２０】
オゾン発生器４は、オゾンガスを発生させるものであればよく、特に限定されるものではない。また、微細気泡発生器５は、直径５０μｍ以下の微細気泡（気泡数：６０００個／ｃｍ３以上）を発生させるものであり、例えば、気体を加圧して液体に過飽和状態にし、この気液混合流を吐出口のオリフィスで急減圧して微細気泡を発生させるものがある（特許３６２０７９７号参照）。オゾン供給手段６は、オゾン発生器４で発生したオゾンを微細気泡発生器５に供給する。導入管７は、供給管２内を流れる汚染水の一部を微細気泡発生器５に導入する。導出管８は、微細気泡発生器５で生成されたオゾン微細気泡を含有する汚染水の一部をオゾン反応槽１に供給する。
【００２１】
ところで、汚染水の処理装置１００は、供給管２を介して上流側から順に膜処理装置１０１及び凝集沈殿処理装置１０２に連結されており、これらの膜処理装置１０１及び凝集沈殿処理装置１０２を経た原水は、さらに汚染水の処装置１００で処理される。かかる原水としては、例えば、畜産排水、ゴミ処分場浸出水、バイオマスからの廃水等がある。これらの原水にはフミン酸等の有機物が多量に含まれており、ＣＯＤやＢＯＤが高く、またＳＳや色度等も高い。膜処理装置１０１は、原水に膜処理を施して浮遊物等を除去するための装置である。一方、凝集沈殿処理装置１０２は、膜処理装置１０１を経た原水に凝集沈殿処理を施して不純物等を除去するための装置である。
【００２２】
膜処理装置１０１及び凝集沈殿処理装置１０２を経た原水（以下「汚染水」ともいう。）にあっては、浮遊物や不純物等が除去された際に有機物の一部も除去されているが、依然として有機物が残存しており、ＣＯＤやＢＯＤが高く、またＳＳや色度等も高い。汚染水の処理装置１００は、かかる汚染水に含まれる有機物を十分に処理して、ＣＯＤやＢＯＤを低く、しかもＳＳや色度等を低くするための装置である。
【００２３】
以上の構成によれば、オゾン反応槽１内の汚染水には、オゾン微細気泡の浮上速度以上の流速を有する下降流が形成されており、この下降流の作用によって、汚染水に供給されたオゾン微細気泡は、汚染水中を浮上することなく汚染水に滞留し続け、汚染水にほぼ完全に溶解する。これにより、汚染水とオゾンとの反応効率が十分に向上する。また、下降流の作用によって、攪拌用ファン１１が自動的に回転駆動し始め、これによりオゾン微細気泡と汚染水とが十分に攪拌されることとなる。その結果、オゾン微細気泡は汚染水に溶解しやすくなり、汚染水とオゾンとの反応効率がよりいっそう向上する。従って、汚染水の色度を所定の基準値以下にする場合であっても、オゾンの注入量が少量で足りるようになり、例えば、汚染水１ｍ３当たりオゾンが４００〜７００ｇ程度で足りる。そのため、オゾンを製造するための設備費用やランニングコストが低くなる。また、オゾン反応槽１の上層に滞留する排ガスには、オゾンがほとんど含まれておらず、排ガス中のオゾンを処理するための設備も不要となり、よりいっそうコストダウンを図ることができる。
【００２４】
なお、図１Ａには図示していないが、汚染水の処理装置１００は、オゾン反応槽１内の汚染水に超音波を付与する超音波発生器を備えることが好ましい。かかる場合には、超音波の作用によりオゾン微細気泡が汚染水に溶解しやすくなり、汚染水とオゾンとの反応効率がよりいっそう向上する。
【００２５】
＜確認試験＞
次に、本発明の効果を確認すべく、図１Ａに示した汚染水の処理装置１００における処理水の色度及びＣＯＤの推移を測定した。また、超音波処理を施した場合の処理水の酸素飽和度も測定した。各測定結果をそれぞれ図１Ｂ〜図１Ｄに示す。なお、本確認試験において、オゾン反応槽への汚染水の流入量は２Ｌ／ｍｉｎであり、オゾン反応槽はφ１０ｃｍであることから、下降流の速度は０．４３ｃｍ／ｓｅｃとなる。一方、ストークスの法則から、５０μｍのオゾン微細気泡の浮上速度は０．１４ｃｍ／ｓｅｃとなる。従って、下降流の速度は、オゾン微細気泡の浮上速度以上の流速を有することとなる。
【００２６】
図１Ｂに示すように、処理水の色度は、一部誤差が生じたものの、単位水量あたりのオゾン量が多いほど、低い値を示す傾向にあった。そして、汚染水にオゾン微細気泡を供給した場合には、オゾンを曝気によって供給した場合と比べ、色度を基準値以下にするために要するオゾンの注入量が少量で足りることを示唆する結果を示した。なお、オゾン濃度２１ｇ／ｍ３、４２ｇ／ｍ３、汚染水３．５Ｌ、７．５Ｌの各ケースについて試験を行った。例えば、色度を約５００以下にするために必要となるオゾンの注入量は、オゾンを曝気によって供給した場合には約１３００ｇ／ｍ３であったが、汚染水にオゾン微細気泡を供給した場合には約４５０ｇ／ｍ３であった。
【００２７】
図１Ｃに示すように、処理水のＣＯＤ（ｍｇ／Ｌ）は、汚染水にオゾン微細気泡を供給した場合の方が通常の曝気によってオゾンを供給した場合よりも著しく低下した。なお、同図に示す確認試験において、オゾンの濃度は４２ｇ／ｍ３、汚染水は３．５Ｌとした。
【００２８】
図１Ｄに示すように、処理水の酸素飽和度（％）は、汚染水に超音波処理を施すことにより１００％を超える値を示し、過飽和状態となった。特に、微細気泡を供給する際に超音波処理を併用した場合には、通常の曝気処理に超音波処理を併用した場合と比べると、よりいっそう過飽和状態となった。なお、同図では、オゾンではなく酸素の飽和度を測定しているが、オゾンの場合にも同様の効果、すなわち超音波処理を併用することによりオゾンの溶解を促進させる効果が期待できる。
【００２９】
ところで、上記の各図面では明らかではないが、汚染水にオゾン微細気泡の浮上速度以上の流速を有する下降流を形成した場合には、下降流を形成しなかった場合と比べ、色度を所定の基準値以下にするために要するオゾンの注入量が少量で足りる結果を示した。
【００３０】
以上の結果から、本発明の如く、汚染水にオゾン微細気泡の浮上速度以上の流速を有する下降流を形成した場合には、かかる下降流を形成しなかった場合と比べ、汚染水とオゾンとの反応効率が十分に向上すると推測される。
【００３１】
また、超音波処理を併用することによりオゾンの溶解が促進し、汚染水とオゾンとの反応効率がよりいっそう向上すると推測される。
【００３２】
＝＝＝第二実施形態＝＝＝
図２は、本発明の第二実施形態における汚染水の処理装置２００を示す概略構成図である。但し、同図において、図１Ａに示した第一実施形態と同一の箇所には同一の符号を付し、改良した箇所及び新たに付与した箇所にのみ新たな符号を付すこととし、本発明の主要部を中心に説明する。
【００３３】
図２に示す汚染水の処理装置２００は、図１Ａに示した第一実施形態とほぼ同様の構成を有し、オゾン反応槽１と、供給管２と、排出管３と、オゾン発生器４と、微細気泡発生器５と、オゾン供給手段６と、導入管７０と、導出管８０と、を備えている。但し、本実施形態における汚染水の処理装置２００では、図１Ａに示した第一実施形態と異なり、導入管７０は、オゾン反応槽１の下部側と微細気泡発生器５とを連結し該オゾン反応槽１から汚染水の一部を回収して微細気泡発生器５に導入する。また、導出管８０は、微細気泡発生器５とオゾン反応槽１の上部側とを連結し微細気泡発生器５で生成されたオゾン微細気泡を含有する汚染水の一部をオゾン反応槽１に供給する。
【００３４】
かかる汚染水の処理装置２００は、供給管２及び導出管８０を介してオゾン反応槽１に流入する汚染水の総流入量と、排出管３及び導入管７０を介してオゾン反応槽１から流出する汚染水の総流出量と、を調節して、オゾン反応槽１内の汚染水に、オゾン微細気泡の浮上速度以上の流速を有する下降流を形成するものである。
【００３５】
以上の構成によれば、汚染水がオゾン反応槽１内を循環することとなり、オゾン反応槽１内の汚染水に流速の大きな下降流を形成しやすくなる。その結果、オゾン反応槽１内の汚染水に、オゾン微細気泡の浮上速度以上の流速を有する下降流を形成することが容易となる。また、汚染水がオゾン反応槽１内を循環するため、オゾン反応槽１内において汚染水とオゾンとの反応が連続して繰り返されることとなり、汚染水とオゾンとの反応効率がよりいっそう向上する。さらに、微細気泡発生器５は、汚染水を導入管７０及び導出管８０を介してオゾン反応槽１内に循環させるため、循環ポンプと同様の機能を有する。従って、本実施形態の汚染水の処理装置２００にあっては、別途、循環ポンプを設ける必要がなく、コストダウンにも寄与する。
【００３６】
＝＝＝第三実施形態＝＝＝
図３は、本発明の第三実施形態における汚染水の処理装置３００を示す概略構成図である。但し、同図において、図１Ａに示した第一実施形態と同一の箇所には同一の符号を付し、改良した箇所及び新たに付与した箇所にのみ新たな符号を付すこととし、本発明の主要部を中心に説明する。
【００３７】
図３に示す汚染水の処理装置３００は、図１Ａに示した汚染水の処理装置１００とほぼ同様の構成を有し、オゾン反応器である配管１０と、供給管２と、排出管３と、オゾン発生器４と、微細気泡発生器５と、オゾン供給手段６と、導入管７と、導出管８と、を備えている。但し、本実施形態における汚染水の処理装置３００では、図１Ａに示した第一実施形態と異なり、オゾン反応器が反応槽（例えば、図１Ａのオゾン反応槽１参照）ではなく、上下に蛇行する配管１０で構成されている。
【００３８】
以上の構成によれば、汚染水が配管１０内をオゾン微細気泡の浮上速度以上の流速で流れ、汚染水とオゾンとの接触の機会が著しく増加する。従って、本実施形態の汚染水の処理装置３００にあっては、汚染水とオゾンとの反応効率がよりいっそう向上する。また、オゾン反応器が反応槽ではなく、配管１０で構成されているため、スペースの縮小化を図ることも可能となり、コストダウンにも寄与することとなる。
【図面の簡単な説明】
【００３９】
【図１Ａ】本発明の第一実施形態における汚染水の処理装置を示す概略構成図である。
【図１Ｂ】処理水の色度測定結果を示すグラフである。
【図１Ｃ】処理水のＣＯＤ測定結果を示すグラフである。
【図１Ｄ】超音波処理を併用した場合における処理水の酸素飽和度測定結果を示すグラフである。
【図２】本発明の第二実施形態における汚染水の処理装置を示す概略構成図である。
【図３】本発明の第三実施形態における汚染水の処理装置を示す概略構成図である。
【符号の説明】
【００４０】
１  オゾン反応槽
２  供給管
３  排出管
４  オゾン発生器
５  微細気泡発生器
６  オゾン供給手段
７，７０  導入管
８，８０  導出管
１０  配管
１００，２００，３００  汚染水の処理装置
【図１Ｂ】
2007260598.tif 000003
【図１Ｃ】
2007260598.tif 000004
【図１Ｄ】
2007260598.tif 000005
【図１Ａ】
2007260598.tif 000006
【図２】
2007260598.tif 000007
【図３】
2007260598.tif 000008